(57)【特許請求の範囲】
【請求項１】
始動口への遊技球の入球に起因して抽出した乱数値によって大当りを生起させるか否かを抽選する主制御装置と、
該主制御装置から送信される制御信号に基づいて表示装置での表示演出を制御するサブ制御装置と、
を備えた弾球遊技機において、
前記主制御装置は、
前記始動口への遊技球の入球に起因して複数種類の乱数値を抽出する乱数値抽出手段と、
該乱数値抽出手段により抽出された前記乱数値を記憶する保留記憶手段と、
該保留記憶手段によって記憶されている保留数が増減する毎に保留数情報を前記サブ制御装置に送信する保留数送信手段と、
前記乱数値抽出手段により抽出された当否判定用乱数の値が、前記抽選の実施以前に特定の値と一致するか否か比較する当否乱数比較手段と、
該当否乱数比較手段による比較結果が不一致の時に、図柄の変動内容を決定するために用いる乱数の値が特定の演出を実施する値と一致するか否か比較する特定演出比較手段と、
前記当否乱数比較手段による比較結果及び前記特定演出比較手段による比較結果を基にしたカテゴリ情報を、前記サブ制御装置に送信するカテゴリ情報送信手段と、を備え、
前記サブ制御装置は、
受信した前記カテゴリ情報を基に先読み演出を実行するか否かを決定する先読み演出実行決定手段と、
先読み演出の起因となった前記カテゴリ情報が示す予め定められた順位と、該先読み演出の実行中に受信した前記カテゴリ情報とが示す予め定められた順位とを比較するカテゴリ比較手段と、
複数の先読み演出の中から実行する先読み演出の種類を決定する先読み演出決定手段と、を備え、
複数の先読み演出の中には、複数回の表示演出に亘って連続した演出を行う第１連続演出と、該第１連続演出とは異なる連続した演出を複数回の表示演出に亘って行う第２連続演出とを含み、
前記先読み演出決定手段は、前記カテゴリ比較手段の比較結果が先読み演出の実行中に受信した前記カテゴリ情報の前記順位が上位であることを条件に前記第２連続演出を決定し、
前記第１連続演出を決定すると該第１連続演出の実施中若しくは待機中の状態であることを示す第１連続演出フラグを設定し、
前記第１連続演出フラグが設定されている状態で前記第２連続演出を決定すると、該第２連続演出の連続回数の設定値に、保留記憶数と前記第１連続演出の残りの回数との差を設定する
ことを特徴とする弾球遊技機。
【発明の詳細な説明】
【技術分野】
【０００１】
本発明は、始動口に遊技球が入球したことに起因して行われる抽選の結果を報知する図柄を備えたパチンコ遊技機に関するものである。
【背景技術】
【０００２】
現状のパチンコ機は、遊技領域に設けられた始動口に遊技球が入球すると、入球した際に抽出した乱数値を所定数を限度として保留記憶し、該記憶された乱数値が予め定められた大当りとなる値であるか否かの抽選を記憶した順に行っている。
【０００３】
大当り遊技を発生させるか否かの抽選結果は、変動を経た特別図柄及び演出図柄の確定表示により報知される。尚、特別図柄は遊技領域に小さく表示されるだけであって、遊技領域の中央に設けられた演出図柄表示装置にて特別図柄の変動に対する擬似変動演出を行い、その演出によって遊技者に抽選結果に対しての期待感を与えている。また、遊技者に抽選結果の期待感を与える演出は演出図柄表示装置だけではなく、パチンコ遊技機に設けられている発光体や可動体を使用して行われる場合もある。これら演出図柄表示装置や可動体、発光体等の演出装置は、主制御装置から受信する制御信号に基づいてサブ制御装置が制御している。
【０００４】
また、近年のパチンコ機では、主制御装置において、記憶された乱数値の当否抽選を行う前に、該記憶された乱数値を確認し、該乱数値が大当りやハズレでも特定のリーチを発生させる値であった場合は、特定の値であることを示す制御信号をサブ制御装置に送信し、制御信号受信時の遊技進行状況に基づくサブ制御装置の判断により先読み演出を実行する遊技機がある。
【０００５】
先読み演出には、保留記憶数を示す保留表示を通常とは異なる態様に変化させる保留表示予告や連続演出（予告）がある。連続演出は、特定の値を示す制御信号の受信以前に記憶された別の乱数値の抽選結果を示す演出図柄の変動から、特定の値である乱数値の抽選結果を示す演出図柄の変動まで、複数回の演出図柄変動に亘って継続性のある演出を行う予告演出である。
【０００６】
この連続演出の演出には、変動毎に同じ演出を連続して実行する手法と、Ａ→Ｂ→Ｃ→Ｄのように連続する各変動表示演出において異なる演出内容によって段階的に期待感を高めていく手法の何れかが用いられている。変動毎に同じ演出を実行する手法の場合には、同じ演出が何回連続して出現するかという点で大当りへの期待度を高めるように構成され、例えば４回連続したら大当り確定といった確定演出を用いる場合もある。同様に、変動毎にＡ→Ｂ→Ｃ→Ｄのように段階的に期待感を高めていく手法にも、Ｄ（最終発展画面）が表示されたら大当り確定などといった、確定演出を用いる場合がある。
【０００７】
これらの予告演出は、予告演出の種類によって大当りの期待感を変化させるために、大当り又はハズレの抽選結果に応じて出現率が異なるように設定される。例えば、Ａ予告は、当選結果がハズレの場合に出現率を高く設定し、大当りの場合に出現率を低く設定することにより、Ａ予告が出現した場合に過度な期待感を与えることを避け、Ｂ予告はそれとは逆にハズレ時の出現率を低く設定し、大当り時の出現率を高く設定することで、Ｂ予告出現時の期待感を増幅させている。
【先行技術文献】
【特許文献】
【０００８】
【特許文献１】特開２００４−０３３６７１号公報
【特許文献２】特開２００４−１８０８７８号公報
【発明の概要】
【発明が解決しようとする課題】
【０００９】
上述したように、複数種類の予告演出を備える場合、抽選結果（大当り又はハズレ）に応じて予告演出の種類毎の出現率を異ならせる構成となっているが、出現率は乱数によって設定されるため、上記したＡ予告が出現した場合に大当りになることが重なったり、Ｂ予告が出現したにも拘わらずあっさり外れることが連続する場合がある。このような場合、Ａ予告出現時は、期待感以上の大当りを獲得することになり、予想外の利益を得る遊技結果が遊技者の遊技継続意向を増幅させることになる。
【００１０】
しかしながら、Ｂ予告が数多く出現しても大当りせず、Ｂ予告でハズレた直後にＡ予告で大当りした場合などは、遊技機に対して不信感を抱き、継続して遊技する意向を喪失してしまう。
【００１１】
本願発明は上記の問題に鑑み、異なる種類の予告演出が連続して実施された場合でも、予告演出の種類に応じた期待感を損なうことがない弾球遊技機を提供することを目的とする。
【課題を解決するための手段】
【００１２】
請求項１記載の弾球遊技機は、
始動口への遊技球の入球に起因して抽出した乱数値によって大当りを生起させるか否かを抽選する主制御装置と、
該主制御装置から送信される制御信号に基づいて表示装置での表示演出を制御するサブ制御装置と、
を備えた弾球遊技機において、
前記主制御装置は、
前記始動口への遊技球の入球に起因して複数種類の乱数値を抽出する乱数値抽出手段と、
該乱数値抽出手段により抽出された前記乱数値を記憶する保留記憶手段と、
該保留記憶手段によって記憶されている保留数が増減する毎に保留数情報を前記サブ制御装置に送信する保留数送信手段と、
前記乱数値抽出手段により抽出された当否判定用乱数の値が、前記抽選の実施以前に特定の値と一致するか否か比較する当否乱数比較手段と、
該当否乱数比較手段による比較結果が不一致の時に、図柄の変動内容を決定するために用いる乱数の値が特定の演出を実施する値と一致するか否か比較する特定演出比較手段と、
前記当否乱数比較手段による比較結果及び前記特定演出比較手段による比較結果を基にしたカテゴリ情報を、前記サブ制御装置に送信するカテゴリ情報送信手段と、を備え、
前記サブ制御装置は、
受信した前記カテゴリ情報を基に先読み演出を実行するか否かを決定する先読み演出実行決定手段と、
先読み演出の起因となった前記カテゴリ情報が示す予め定められた順位と、該先読み演出の実行中に受信した前記カテゴリ情報とが示す予め定められた順位とを比較するカテゴリ比較手段と、
複数の先読み演出の中から実行する先読み演出の種類を決定する先読み演出決定手段と、を備え、
複数の先読み演出の中には、複数回の表示演出に亘って連続した演出を行う第１連続演出と、該第１連続演出とは異なる連続した演出を複数回の表示演出に亘って行う第２連続演出とを含み、
前記先読み演出決定手段は、前記カテゴリ比較手段の比較結果が先読み演出の実行中に受信した前記カテゴリ情報の前記順位が上位であることを条件に前記第２連続演出を決定し、
前記第１連続演出を決定すると該第１連続演出の実施中若しくは待機中の状態であることを示す第１連続演出フラグを設定し、
前記第１連続演出フラグが設定されている状態で前記第２連続演出を決定すると、該第２連続演出の連続回数の設定値に、保留記憶数と前記第１連続演出の残りの回数との差を設定する
ことを特徴とする弾球遊技機である。
【００１３】
乱数値抽出手段が抽出する複数種類の乱数は、遊技者が有利な遊技状態に移行するか否かを抽選するための当否（大当り）判定用乱数の他に、該大当り判定用乱数の抽選結果に応じた確定表示図柄の種類と、図柄の変動内容を決定するために用いる乱数であればよく、例えば大当り図柄決定用乱数１、大当り図柄決定用乱数２、リーチ決定用乱数、変動パターン決定用乱数としてもよい。
【００１４】
保留記憶手段に記憶される保留記憶の数は、始動口への入球に基づいて増加し、保留記憶の抽選（当否判定）によって減少すればよく、保留数送信手段によって送信される保留数情報は、保留記憶数の値を示す信号でもよいし、増加時に保留記憶数が増加したことを示す信号としてもよい。
【００１５】
当否乱数比較手段による当否判定用乱数の値が特定の値と一致するか否かの比較は、当否判定用乱数の値がいわゆる大当りとなる値か否の比較判定としてもよく、一致した場合には更に大当り遊技の内容と大当り遊技終了後の遊技状態を決定する乱数（例えば大当り図柄決定用乱数１）も合わせて比較する構成としてもよい。その場合のカテゴリ情報には、例えば１５ラウンド（大入賞口が１５回開放）の大当り遊技を発生させる内容や、大当たり遊技終了後に高確率遊技状態に移行する等の内容を含んでもよい。
【００１６】
図柄の変動内容を決定するために用いる乱数とは、上記したリーチ決定用乱数又は／及び変動パターン決定用乱数としてもよく、特定演出比較手段は、リーチ乱数及び変動パターン乱数の値が特定のリーチを実施する値と一致するか否かの比較判定を実施し、各乱数の値がいわゆるスーパーリーチ（変動時間が特に長かったり特別な演出を実施するリーチ）となる値か否を比較結果としてもよい。更に各乱数の値がリーチとなる値か、非リーチとなる値かを比較し、この比較結果まで含めてカテゴリ情報とする構成としてもよく、その場合のカテゴリ情報は、大当りを示す内容、スーパーリーチを示す内容、リーチを示す内容、非リーチを示す内容の順に大当りとなる期待度が高い演出が可能であることを示す信号となる。
【００１７】
当否乱数比較手段及び特定演出比較手段（二つの手段は総称して先読み判定という）は、全ての遊技状態において実施してもよいし、進行中又は先読み判定によって移行が確定している遊技状態に応じて実施するか否かを判定する構成としてもよい。また、全ての遊技状態においてその遊技状態又は移行が確定している遊技状態に合わせて実施し、該実施時の遊技状態又は確定している移行後の遊技状態に応じてカテゴリ情報送信手段を実施しない構成（サブ制御装置にカテゴリ情報を送信しない）としてもよい。
【００１８】
カテゴリ情報は、当否乱数比較手段の比較結果と、特定演出比較手段の比較結果を基に、サブ制御装置が判断可能な予め定められた順位を含む構成であればよく、例えばその順位は、当否乱数比較手段の比較結果が特定の値と一致したこと（大当り）を基にしたカテゴリ情報を最上位とし、次に特定演出比較手段の比較結果がスーパーリーチを示すカテゴリ情報、次に特定演出比較手段の比較結果がリーチを示すカテゴリ情報、次に非リーチを示すカテゴリ情報としてもよい。この順位は、上述したように、より大当りが期待できる演出が実施可能な順位となる。カテゴリ情報の順位はどの遊技状態においても同じであるが、遊技状態の変化に応じた当否判定確率の変化、及び変動パターン振分比率の変化によって、各カテゴリの選択比率は変化する構成としてもよい。
【００１９】
先読み演出実行決定手段は、カテゴリ情報受信時に、進行中の遊技状況に応じて先読み演出を実行するか否かを決定する構成であればよく、この場合の進行中の遊技状況とは、いずれかの先読み演出の実施中（連続演出なら待機中も含む）又は未実施中、保留数の値、遊技状態、の各状況が考えられる。また、先読み演出を実行する場合、期待度の低い（順位の低い）予告を後に行わないように受信したカテゴリ情報の順位を判別可能に記憶する構成が望ましい。尚、記憶したカテゴリ情報は該当する保留記憶の抽選に基づく変動表示が実施されるまで記憶する構成が好適であるが、該変動表示が終了するまで記憶する構成としてもよい。
【００２０】
複数回の表示演出に亘って連続した演出を行う第１連続演出は、特定の演出を複数回の演出図柄の変動表示に亘って連続して出現させる演出であればよく、１回の当否抽選に基づいて実施される１回の演出図柄の変動表示が、複数回の保留記憶の当否抽選に基づいて連続して実施される場合、連続する演出図柄の変動表示全てに特定の演出が出現していればよい。その場合、特定の演出が演出図柄の変動表示中に絶えず表示される構成でもよいし、１回の擬似図柄の変動時間中に所定時間のみ表示される構成でもよい。
【００２１】
これは例えば、特定の演出が特定のキャラクタを表示するものであった場合、連続する各々の変動表示に同じキャラクタ（もしくは同じ種類又は同一系統のキャラクタ）が出現する構成でもよいし、前後の変動表示との連続（継続）関係が容易に認識可能となるように、連続する意味を有する数字群や文字群（例えば「１、２、３、４」「あ、た、る」や「あ、た、り」）を各々の変動表示で分解して順に表示する方法も考えられる。更に、各々の変動表示が、表示結果を除いて同一の変動態様（最も多く出現する通常の変動態様とは異なるもの）を繰り返し行なうことによって遊技者に継続性を認識させる構成でもよい。
【００２２】
第１連続演出が大当りを示すカテゴリ情報に起因して実行中なら、該実行中に受信したカテゴリ情報の順位が最上位の大当りを示すものであっても、先読み演出決定手段は第２連続演出の決定は行わない構成としてもよく、他の先読み演出の決定も行わない構成としてもよい。従って、最上位のカテゴリ情報に起因する第１連続演出の実行中は、先読み演出決定手段は、受信したカテゴリ情報の順位に拘わらずいかなる先読み演出も決定しない構成としてもよい。尚、受信したカテゴリ情報が実行中の第１連続演出の起因となったカテゴリ情報よりも下位又は同位であった場合、先読み演出決定手段は、第２連続演出は決定しないが他の先読み演出を決定してもよいし、全ての先読み演出を決定しない構成でもよい。
【００２３】
更に、受信したカテゴリ情報が大当りを示す最上位の順位であっても、受信時に第１連続演出を実行中でなければ、第２連続演出は実施されない構成としてもよい。また、第１連続演出の実行中に、該第１連続演出の起因となったカテゴリ情報よりも上位のカテゴリ情報を受信した場合でも、第１連続演出の終了後に引き続き第２連続演出の実施が可能となる保留記憶数（保留記憶数２個、又は３個以上）がなければ、第２連続演出は決定されない構成となる。加えて、第１連続演出の実施、受信したカテゴリが上位、実施可能な保留記憶数有りの条件を満たしても、サブ制御装置が備える先読み演出を実施するか否かを判定する振分乱数の値が、先読み演出の実施値と一致しなければ第２連続演出を含む先読み演出を実施しない構成としてもよい。
【００２４】
上述した内容に加え、受信したカテゴリ情報が上位及び実施可能な保留記憶数有りの条件を満たしていれば、先読み演出決定手段は、第１連続演出を実施中でなくても、第１連続演出の終了から所定期間内であれば第２連続演出を決定可能な構成としてもよい。
【００２５】
また、先読み演出決定手段は、第１連続演出を決定する条件を、第１連続演出及び第２連続演出以外の先読み演出を実行中で、且つ、実行中の先読み演出の起因となったカテゴリ情報と、受信したカテゴリ情報とのカテゴリ比較手段による比較結果において、受信したカテゴリ情報の順位が上位であること、としてもよい。当然第１連続演出が実施可能な保留数があり、更にサブ制御装置が備える先読み演出（第１連続演出）を実施するか否かを判定する振分乱数の値が、実施値と一致することを条件に加えてもよい。
【００２６】
第１連続演出と第２連続演出は、共に１種類の予告演出ではなく、それぞれは連続演出の群（グループ）の名称であり、第１連続演出と第２連続演出とは、それぞれ複数の連続演出を備える構成が好適である。また、第３連続演出群や第４連続演出群を設ける構成としてもよく、先読み演出決定手段は、第１連続演出の実行中に第２連続演出の実行を決定する条件と同一条件で、第２から第３、第３から第４の連続演出を決定する構成としてもよい。
【００２７】
受信したカテゴリ情報が最上位（大当り）ならば、第１連続演出の未実行中であっても先読み演出決定手段が第２連続演出を決定する構成も考えられる。また、最上位以外のカテゴリ情報を起因とする第２連続演出の実行中に、上位のカテゴリ情報を受信した場合は、第２連続演出を継続して決定する構成も考えられる。
【発明の効果】
【００２８】
請求項１記載の弾球遊技機によれば、遊技者が大当りの期待感を大きく抱く連続演出を連続して実行する場合において、前に行われる連続演出よりも後で行われる連続演出のほうが連続演出の最終変動表示において必ず大当りの期待感が大きい演出が実行されるため、遊技者が認識する予告演出の期待感と実際に行われる予告演出によって得る期待感とにズレが生じず、遊技者が遊技の継続意向を喪失することを防ぐ効果がある。
【図面の簡単な説明】
【００２９】
【図１】遊技盤８の正面図。
【図２】遊技機の電気的構成を示すブロック図。
【図３】主制御装置５０が実行する始動入賞処理のフローチャート。
【図４】変動パターンの種類の一例を示す図表。
【図５】主制御装置５０が実行する当否判定処理のフローチャート。
【図６】主制御装置５０が実行する特別図柄確定処理のフローチャート。
【図７】サブ統合制御装置５３が実行する保留数指示信号受信処理のフローチャート。
【図８】サブ統合制御装置５３が実行する先読み信号受信処理のフローチャート（１）。
【図９】サブ統合制御装置５３が実行する先読み信号受信処理のフローチャート（２）。
【図１０】サブ統合制御装置５３が実行する先読み信号受信処理のフローチャート（３）。
【図１１】サブ統合制御装置５３が実行する先読み信号受信処理のフローチャート（４）。
【図１２】サブ統合制御装置５３が実行する先読み信号受信処理のフローチャート（５）。
【図１３】サブ統合制御装置５３が実行する先読み信号受信処理のフローチャート（６）。
【図１４】サブ統合制御装置５３が実行する先読み信号受信処理のフローチャート（７）。
【図１５】サブ統合制御装置５３が実行する先読み信号受信処理のフローチャート（８）。
【図１６】サブ統合制御装置５３が備える各フラグの内容を示す図表。
【図１７】サブ統合制御装置５３が備える各カウンタの内容を示す図表。
【図１８】サブ統合制御装置５３が受信したカテゴリ信号の種類と、連続演出実施判定用乱数の値に応じた第１連続演出と第２連続演出の実施内容を示す図表。
【図１９】サブ統合制御装置５３が実行する変動指示信号受信処理のフローチャート。
【図２０】サブ統合制御装置５３が実行する確定図柄コマンド受信処理のフローチャート。
【図２１】連続演出の種類と振分乱数値に応じた連続演出の選択内容を示す図表。
【図２２】第１連続演出実施時の演出図柄表示装置５４ｂの表示内容を示す略図。
【図２３】第２連続演出実施時の演出図柄表示装置５４ｂの表示内容を示す略図。
【発明を実施するための形態】
【００３０】
以下に本発明の好適な実施形態について図面を参照して説明する。尚、本発明の実施の形態は下記の実施例に何ら限定されるものではなく、本発明の技術的範囲に属する種々の形態を採り得ることができ、実施例に記載された内容の相違部分を適宜組み合わせることが可能なことはいうまでもない。
【実施例】
【００３１】
図１は、本実施例のパチンコ機の遊技盤８の正面図である。なお、このパチンコ機の全体的な構成は公知技術に従っているので図示及び説明は省略する。図１に示す通り、遊技盤８には公知のガイドレール２５ａ、２５ｂによって囲まれた略円形の遊技領域２６が設けられ、多数の遊技釘２７が植設されている。遊技領域２６の略中央には、窓部２８ａを有する液晶枠飾り２８が設けられており、演出図柄表示装置５４ｂ（図２参照）のＬＣＤ画面が遊技者から視認可能に構成され、図示しない公知のワープ入口、ワープ通路、ステージ等も設けられている。また、窓部２８ａの上方には、７セグメントＬＥＤ等の発光部材により構成される特別図柄表示装置２９および普通図柄表示装置３０が設けられている。
【００３２】
また窓部２８ａの上部には、ＬＣＤ画面の上辺に被る位置に演出用の可動体８０（演出用可動物）が常時停止位置として配置され、可動体８０は特定の演出の発生に応じて、ＬＣＤ画面の上辺から下辺に向かって往復移動の動作を行う。この往復移動は、後述するサブ制御装置５３によって移動範囲と、移動速度が制御可能となっている。
【００３３】
液晶枠飾り２８の左右両側または左側には後述する普通図柄作動スイッチ３２ａ（図２参照）を備える普通図柄作動ゲート３２が設けられており、下側には後述する特別図柄始動スイッチ３１ａ（図２参照）を備える普通電動役物３１が設けられている。普通電動役物３１の下方には、アタッカー式の大入賞口３３ａを備える大入賞口ユニット３３が配置され、該大入賞口ユニット３３の下方にはアウト口３４が設けられている。大入賞口３３ａの左側には４個のＬＥＤで構成される特別図柄保留数表示装置２９ａが、右側には４個のＬＥＤで構成される普通図柄保留数表示装置３０ａが、各々設けられている。また、大入賞口ユニット３３の左右両側には、後述する一般入賞口スイッチ３５ｂ（図２参照）を備える一般入賞口３５ａが複数備えられる入賞口ユニット３５が設けられている。
【００３４】
上記のように遊技盤８を構成することによって、普通図柄作動ゲート３２に入球（普通図柄作動スイッチ３２ａ（図２参照）にて遊技球を検出）すると、普通図柄表示装置３０で普通図柄が変動表示を開始し、所定時間後に停止した普通図柄の態様に応じて、後述する普通電役ソレノイド３１ｂ（図２参照）を駆動させる。普通電役ソレノイド３１ｂを駆動させると、ほぼ同期して普通電動役物３１の羽根部材が駆動して、普通電動役物３１への入球率（特別図柄始動スイッチ３１ａ（図２参照）での検出率）が高まるように構成されている。
【００３５】
また、普通電動役物３１に入球（特別図柄始動スイッチ３１ａ（図２参照）にて遊技球を検出）すると、特別図柄が変動表示を開始し、所定時間後に停止した特別図柄の態様に応じて後述する大入賞口ソレノイド３３ｃ（図２参照）を駆動させる。大入賞口ソレノイド３３ｃを駆動させると、ほぼ同期して大入賞口ユニット３３の扉部材が駆動して、大入賞口３３ａへの入球率（カウントスイッチ３３ｂ（図２参照）での検出率）が高まるように構成されている。
【００３６】
続いて、図２にパチンコ機１の電気配線を示すブロック図を示し、詳細に説明する。尚、このブロック図には、煩雑になる電源回路に関する記載は行わないが、電源が必要な制御装置若しくはアクチュエータ類には電源装置５５（図示せず）から直接的または間接的に供給される構成となっている。
【００３７】
図２に示す通り、主制御装置５０の入力端には、遊技盤中継端子板６２を介して普通電動役物３１に入球した遊技球を検出する特別図柄始動スイッチ３１ａと、普通図柄作動ゲート３２に入球した遊技球を検出する普通図柄作動スイッチ３２ａと、大入賞口３３ａに入球した遊技球を検出するカウントスイッチ３３ｂと、一般入賞口３５ａに入球した遊技球を検出する一般入賞口スイッチ３５ｂとが、裏配線中継端子板６３を介して前面枠が閉鎖していることを検出する前面枠閉鎖スイッチ３８と、意匠枠が閉鎖していることを検出する意匠枠閉鎖スイッチ３９ａ、３９ｂと、が接続されている。
【００３８】
前面枠閉鎖スイッチ３８及び意匠枠閉鎖スイッチ３９ａ、３９ｂは、内部に電池（１次電池又は２次電池のいずれでも良い）を備えており、通常時（電源が供給され、且つ、電源スイッチがＯＮ）は後述する裏配線中継端子板６３から供給されるＤＣ１２Ｖで動作し、電源が供給されないとき（電源遮断又は電源スイッチＯＦＦ）には、電池の電源を利用して前面枠３又は意匠枠の閉鎖状態を出力する構成となっている。また、電池として１次電池を採用する場合には電池の消耗によって交換（電池のみ交換又はリミットスイッチを交換）することとなるが、２次電池を採用する場合には通常時に充電する構成とし、繰り返し利用可能に構成することが望ましい。
【００３９】
主制御装置５０の出力端には、遊技盤中継端子板６２を介して大入賞口３３ａの扉部材を駆動する大入賞口ソレノイド３３ｃと、普通電動役物３１の羽根部材を駆動する普通電役ソレノイド３１ｂと、図柄表示装置中継端子板６４を介して特別図柄を表示する特別図柄表示装置２９と、特別図柄の保留数を表示する特図保留数表示装置２９ａと、普通図柄を表示する普通図柄表示装置３０と、普通図柄の保留数を表示する普図保留数表示装置３０ａと、裏配線中継端子板６３および外部接続端子板６１を介してホールコンピュータ７０と、が接続されている。
【００４０】
主制御装置５０はＣＰＵ、ＲＯＭ、ＲＡＭ等の電気部品を備えており、搭載するＲＯＭに記憶されたプログラムに従ってＣＰＵにて処理を実行し、入力される各種検出信号などに基づいて遊技の進行に関わる各種コマンド等を生成し、払出制御装置５１およびサブ統合制御装置５３に出力する。また、主制御装置５０は、前面枠閉鎖スイッチ３８又は意匠枠閉鎖スイッチ３９ａ、３９ｂから前面枠又は意匠枠の閉鎖状態時に出力される検出信号が入力されることで、外部接続端子板６１を介してホールコンピュータ７０に前面枠又は意匠枠が閉鎖状態にあることを示す信号（検出信号に準ずる信号）を出力するように構成されている。ここで、主制御装置５０と払出制御装置５１とは双方向通信回路として構成され、主制御装置５０とサブ統合制御装置５３とは間に演出中継端子板６５を介した主制御装置５０からサブ統合制御装置５３への一方向通信回路として構成されている。
【００４１】
払出制御装置５１の入力端には、裏配線中継端子板６３を介して球タンクまたはタンクレール内の遊技球が不足していることを検出する球切れスイッチ２２ａまたは２３ａと、裏配線中継端子板６３および払出中継端子板６６を介して払い出した遊技球を検出する払出スイッチ２４ｂと、各種端子板を介することなく下皿への経路に遊技球が多数あることを検出する満杯スイッチ１３ａと、が接続されている。払出制御装置５１の出力端には、裏配線中継端子板６３および払出中継端子板６６を介して遊技球を上皿へと払い出す払出モータ２４ａが接続されている。
【００４２】
払出制御装置５１はＣＰＵ、ＲＯＭ、ＲＡＭ等の電気部品を備えており、搭載するＲＯＭに記憶されたプログラムに従ってＣＰＵにて処理を実行し、入力される各種検出信号ならびに主制御装置５０から入力されるコマンドに基づいて遊技球の払い出しに関わる各種コマンド等を生成し、主制御装置５０および発射制御装置５２に出力する。ここで、払出制御装置５１と主制御装置５０とは双方向通信回路として構成され、払出制御装置５１と発射制御装置５２とは払出制御装置５１から発射制御装置５２への一方向通信回路として構成されている。
【００４３】
発射制御装置５２の入力端には、発射を停止するための発射停止スイッチ１９ａと、発射ハンドルに遊技者が触れていることを検出するタッチスイッチ２０ａと、が接続されている。発射制御装置５２の出力端には、遊技球を遊技領域２６へ発射するための発射モータ３６が接続されている。発射制御装置５２はＣＰＵ、ＲＯＭ、ＲＡＭを備えず、ＩＣ等で構成されたデジタル回路であり、入力される各種検出信号ならびに払出制御装置５１からの入力に基づいて発射モータ３６の駆動を制御している。
【００４４】
サブ統合制御装置５３の入力端には、遊技者により操作可能な遊技スイッチ１４ａが接続されている。サブ統合制御装置５３の出力端には、意匠枠および遊技盤８に備えられる各種ＬＥＤ・ランプ３７と、前面枠およびスピーカユニットに備えられるスピーカ１０と、上述した可動体８０を作動させるステッピングモータとして可動体駆動モータ８０ａとが接続されている。尚、サブ統合制御装置５３と主制御装置５０とは、間に演出中継端子板６５を介した主制御装置５０からサブ統合制御装置５３への一方向通信回路として構成され、サブ統合制御装置５３と演出図柄制御装置５４ａとはサブ統合制御装置５３から演出図柄制御装置５４ａへの一方向通信回路として構成されている。
【００４５】
サブ統合制御装置５３はＣＰＵ、ＲＯＭ、ＲＡＭ等の電気部品を備えており、搭載するＲＯＭに記憶されたプログラムに従ってＣＰＵにて処理を実行し、入力される遊技スイッチ１４ａの入力ならびに主制御装置５０から入力されるコマンドに基づいて演出に関わる各種コマンド等を生成し、演出図柄ユニット５４の演出図柄制御装置５４ａに出力し演出図柄制御装置５４ａが入力されたコマンドに従って演出図柄表示装置５４ｂを制御する構成となっている。尚、本実施例では、サブ統合制御装置５３のＲＡＭに記憶された遊技情報を電源断時に保持しない構成としているが、電源装置５５からＶＢＢを供給して記憶保持可能とし、復電時に記憶した遊技情報を元に電源断前の遊技を再開する構成としても何ら差し支えない。
【００４６】
また、サブ統合制御装置５３には、音量を調節する音量調節スイッチ１０ａが備えられ、音量調節スイッチ１０ａの状態（位置）を検出し、その検出結果とスピーカ１０へ送信する内容とを判断し、スピーカ１０から出力する音量をソフト的に制御するように構成されている。例えば、遊技に伴う演出音声やエラー報知の一部（前面枠、意匠枠等の枠開放／閉鎖報知など）の音声は、音量調節スイッチ１０ａの状態に応じて変更された音量でスピーカ１０から出力され、その他のエラー報知（特殊報知など）は音量調節スイッチ１０ａの状態に関わらず予め設定された音量でスピーカ１０から出力されるように構成することができる。
【００４７】
次に図３に示したフローチャートを用いて主制御装置５０が行う始動入賞処理を説明する。この始動入賞処理は、本願発明における乱数値抽出手段、保留記憶手段、保留数送信手段、当否乱数比較手段、特定演出比較手段、カテゴリ情報送信手段を含む処理となる。
【００４８】
始動入賞処理を開始すると、始動口である普通電動役物３１に遊技球が入球したか否か判定する（Ｓ１０）。肯定判定なら（Ｓ１０：ＹＥＳ）、保留記憶数が上限数（本実施例においては４個）よりも少ないか否か判定し（Ｓ２０）、肯定判定（０個から３個）なら（Ｓ２０：ＹＥＳ）、大当り判定用乱数、大当り図柄決定用乱数１、大当り図柄決定用乱数２、リーチ決定用乱数、変動パターン決定用乱数を抽出して、これらを保留記憶として保留記憶数に応じた各記憶領域に記憶するとともに、保留記憶数を示す保留記憶カウンタに１を加算する（Ｓ３０）。このＳ３０で行われる処理が本願発明における乱数値抽出手段、保留記憶手段、に該当する。
【００４９】
続いて、時短フラグが０か否か（開放延長機能が作動中でないか）を判定し（Ｓ４０）、肯定判定なら（Ｓ４０：ＹＥＳ）Ｓ５０に進み、否定判定なら（Ｓ４０：ＮＯ）Ｓ１３０に進む。本実施例では、時短状態以外の遊技状態において、当否判定（抽選）以前に行う先読み判定と該先読み判定結果の送信処理（後述する当否乱数比較手段、特定演出比較手段、カテゴリ情報送信手段）を行い、サブ統合制御装置５３において先読み演出（連続演出）の実行判定を実施する構成としているが、時短状態においても先読み判定を行いその結果を送信して先読み演出（連続演出）を実施する構成としても何ら問題ない。また、どの遊技状態においても先読み判定を実施し、遊技状態に応じて判定結果を送信するか否か判定する構成としてもよい。例えば、Ｓ４０の判定処理をＳ１２０の直前に行う構成としてもよい。
【００５０】
Ｓ５０に進むと、Ｓ３０で抽出した大当り判定用乱数（当否判定用乱数）の値を当否判定テーブルの値と比較して一致するか否か、即ち大当り値か否か比較する（Ｓ５０）（当否乱数比較手段）。否定判定なら（Ｓ５０：ＮＯ）、即ちハズレなら、Ｓ３０で抽出したリーチ決定用乱数の値と変動パターン決定用乱数の値とを、ハズレ用のリーチ判定テーブル、変動パターン判定テーブルで比較し、スーパーリーチとなるか否か判定する（Ｓ７０）（特定演出比較手段）。否定判定なら（Ｓ７０：ＮＯ）、Ｓ７０と同様にリーチとなる値か否かを判定する（Ｓ９０）（特定演出比較手段）。Ｓ９０が否定判定なら（Ｓ９０：ＮＯ）、非リーチのハズレ変動が確定する。
【００５１】
Ｓ５０が肯定判定なら（Ｓ５０：ＹＥＳ）、図柄変動時の演出カテゴリの選択処理としてカテゴリ４を選択する（Ｓ６０）。Ｓ７０が肯定判定なら（Ｓ７０：ＹＥＳ）、図柄変動時の演出カテゴリの選択処理としてカテゴリ３を選択する（Ｓ８０）。Ｓ９０が肯定判定なら（Ｓ９０：ＹＥＳ）、図柄変動時の演出カテゴリの選択処理としてカテゴリ２を選択する（Ｓ１００）。Ｓ９０が否定判定で非リーチのハズレ変動が確定した場合は、図柄変動時の演出カテゴリの選択処理としてカテゴリ１を選択する（Ｓ１１０）。
【００５２】
尚、本実施例における図柄の変動パターンは、図４に示す図表の内容で設定されており、演出図柄表示装置５４ｂ上で行われる変動態様はこの表の内容に準じて実施され、スーパーリーチとリーチと非リーチ（通常変動）も表に示すように区分される。尚、変動パターン１の通常変動１は、時短状態時に選択される通常変動（非リーチ）であるため、本実施例ではカテゴリ区分は割り当てられていないが、時短状態においても先読み信号をサブ統合制御装置５３に送信する構成の場合、例えばカテゴリとして「０」を割り当て、他のカテゴリと区別可能にする構成としてもよい。
【００５３】
Ｓ５０からＳ１１０の処理で選択される演出カテゴリは、本願発明におけるカテゴリ情報に該当し、カテゴリ４、３、２、１の順に遊技者にとって大当りの期待度が高い演出が後述する当否判定処理に応じて実施されることになる。この、４、３、２、１の大当り期待度の高さの順番（数字が大きいほど期待度が高い）が本願発明における予め定められた順位に該当する構成となる。尚、各演出カテゴリの選択時に図４に示す変動パターンを選択する構成も考えられる。この場合、サブ統合制御装置５３が、受信した変動パターンを示す先読み信号から各カテゴリを判断する構成となる。
【００５４】
フローチャートの説明に戻り、Ｓ６０、Ｓ８０、Ｓ１００、Ｓ１１０、の選択処理に続いては、選択したカテゴリを示すカテゴリ信号（先読み信号）をサブ統合制御装置５３に送信する（Ｓ１２０）。このカテゴリ信号送信処理が本願発明におけるカテゴリ情報送信手段に該当する。Ｓ１２０の処理の後、又はＳ４０が否定判定なら（Ｓ４０：ＮＯ）、Ｓ３０で１が加算された保留記憶カウンタの値を示す保留数指示信号をサブ統合制御装置５３に送信し（Ｓ１３０）リターンに抜ける。Ｓ１０、Ｓ２０、が否定判定の場合も（Ｓ１０：ＮＯ、Ｓ２０：ＮＯ）同様にリターンに抜ける。
【００５５】
本実施例ではＳ３０のステップで保留記憶数の加算処理（保留記憶カウンタのインクリメント）が行なわれているが、Ｓ１３０の直前で保留記憶数の加算処理を行なう構成としてもよい。尚、Ｓ３０が本願発明における乱数値抽出手段及び保留記憶手段、Ｓ５０が当否乱数比較手段、Ｓ７０とＳ９０が特定演出比較手段、Ｓ１２０がカテゴリ情報送信手段、Ｓ１３０が保留数送信手段に該当する。
【００５６】
次に図５に示したフローチャートを用いて、主制御装置５０が行う当否判定処理を説明する。当否判定処理を開始すると、特別図柄（特図）の始動条件が成立しているか否か判定する（Ｓ２００）。この判定処理では、大当り遊技中でないこと、特図変動中又は確定表示中でないこと、および判定対象となる特図の保留記憶があることを確認する。Ｓ２００が否定判定なら（Ｓ２００：ＮＯ）リターンし、肯定判定なら（Ｓ２００：ＹＥＳ）、時短フラグが０か否か判定する（Ｓ２１０）。否定判定なら（Ｓ２１０：ＮＯ）、時短状態中の処理に進むが、この処理は公知の処理となんら変わりないため説明は割愛する。Ｓ２１０が肯定判定なら（Ｓ２１０：ＹＥＳ）保留記憶のシフト処理を行い、これにより最も古い保留記憶を当否判定の対象とするとともに、保留記憶数を示す保留記憶カウンタから１を減算する（Ｓ２２０）。
【００５７】
続く、大当り判定用乱数比較処理（Ｓ２３０）では、当否判定の対象とした保留記憶の大当り判定用乱数と予め設定された当否判定テーブルとを比較して、大当り判定用乱数の値が当否判定テーブル内の判定値と一致するか比較する。当否判定テーブルは通常確率（低確率）用と高確率用の２種類のテーブルが設定してあり、当否判定時の遊技状態が通常遊技であれば通常確率用の当否判定テーブルを用いて比較し、高確率の遊技状態であれば高確率用の当否判定テーブルを用いて比較する。
【００５８】
続いて、大当り判定用乱数比較処理（Ｓ２３０）の結果が大当りであるか否か判定する（Ｓ２４０）。肯定判定なら（Ｓ２４０：ＹＥＳ）、当否判定の対象とした保留記憶の大当り図柄決定用乱数１に基づいて図柄モード設定処理を行う（Ｓ２５０）。図柄モードは「０〜６」の７種類であり、例えば、図柄モード「０」のときは「１５Ｒ特定時短有図柄１」となる。このように図柄モードによって大当り遊技の内容および大当り遊技終了後の遊技状態が選択される。
【００５９】
次に、設定された図柄モードと、当否判定の対象とした保留記憶の大当り図柄決定用乱数２とに基づいて特図表示装置２９に表示する大当り図柄を設定する（Ｓ２６０）。尚、大当り図柄は「図柄１〜図柄２７」の２７通り備えている。
【００６０】
Ｓ２４０が否定判定なら（Ｓ２４０：ＮＯ）、大当り判定用乱数の比較処理（Ｓ２３０）の結果が小当りであるか否か判定し（Ｓ２９０）、肯定判定なら（Ｓ２９０：ＹＥＳ）、小当り図柄を選択し（Ｓ３００）、否定判定なら（Ｓ２９０：ＮＯ）ハズレ図柄を選択する（Ｓ３１０）。
【００６１】
Ｓ２６０、Ｓ３００、Ｓ３１０に続いては、当否判定の対象とした保留記憶のリーチ決定用乱数および変動パターン決定用乱数に基づいて、特別図柄（特図）表示装置２９に表示する図柄の変動時間を変動パターン選択テーブルから選択し（Ｓ２７０）、上記までの処理で選択された図柄及び変動パターンの情報を、変動指示信号としてサブ統合制御装置５３へ送信する（Ｓ２８０）。この情報を受信し、遊技状況に応じた演出用コマンドを生成したサブ統合制御装置５３からの指示に基づいて、演出図柄制御装置５４ａは演出図柄表示装置５４ｂを制御し、変動パターンの情報に対応する変動表示演出を開始する。サブ統合制御装置５３への送信とほぼ同時に、主制御装置５０は、特図表示装置２９を制御して特別図柄の変動を開始する。
【００６２】
次に、図６に示すフローチャートを用いて特別図柄確定処理を説明する。特別図柄確定処理を開始すると、特別図柄の変動時間が経過したか否か判定する（Ｓ３３０）。否定判定なら（Ｓ３３０：ＮＯ）リターンし、肯定判定なら（Ｓ３３０：ＹＥＳ）、確定コマンドをサブ統合制御装置５３へ送信するとともに図５のＳ２６０、Ｓ３００、Ｓ３１０で選択された図柄を特別図柄表示装置２９に確定表示する（Ｓ３４０）。サブ統合制御装置５３は確定コマンドの受信により変動表示の終了を判断し、演出図柄制御装置５４ａに指示することにより演出図柄表示装置５４ｂの図柄を確定表示する。
【００６３】
続いて、特別図柄表示装置２９に確定表示した図柄が大当り図柄か否か判定する（Ｓ３５０）。肯定判定なら（Ｓ３５０：ＹＥＳ）、大当りフラグに「１」をセットし（Ｓ３６０）リターンに抜ける。Ｓ３５０が否定判定なら（Ｓ３５０：ＮＯ）、確定表示した図柄が小当り図柄か否か判定し（Ｓ３７０）、肯定判定なら（Ｓ３７０：ＹＥＳ）、小当りフラグに「１」をセットする（Ｓ３８０）。Ｓ３７０が否定判定（Ｓ３７０：ＮＯ）、又はＳ３８０の後リターンする。
【００６４】
次に図７に示したフローチャートを用いて、サブ統合制御装置５３が実行する、保留数指示信号受信処理を説明する。保留数指示信号受信処理では、サブ統合制御装置５３が、主制御装置５０からの保留数指示信号を受信したか否か判定し（Ｓ４００）、否定判定なら（Ｓ４００：ＮＯ）リターンし、肯定判定なら（Ｓ４００：ＹＥＳ）、サブ統合制御装置５３が記憶する保留数カウンタの値に１を加算し（Ｓ４１０）、加算した保留数に応じた表示態様を指定する信号を演出図柄制御装置５４ａに送信し（Ｓ４２０）リターンに抜ける。この処理によって主制御装置５０が記憶する保留記憶の数が増加したときは、サブ統合制御装置５３が備える保留数カウンタの値も増加する。
【００６５】
次に、サブ統合制御装置５３が実行する先読み信号受信処理を図８、９、１０、１１、１２、１３、１４、１５に示したフローチャートを用いて説明する。この先読み信号受信処理は、本願発明における先読み演出実行決定手段、カテゴリ比較手段、先読み演出決定手段を含む処理となる。
【００６６】
図８に示すフローチャートで先読み信号受信処理を開始すると、主制御装置５０からカテゴリ信号を受信したか否か判定する（Ｓ５００）。否定判定なら（Ｓ５００：ＮＯ）リターンに抜け、肯定判定なら（Ｓ５００：ＹＥＳ）、受信したカテゴリ信号の内容を受信した順序が特定可能に記憶し（Ｓ５１０）、先読み予告演出を実施するか否かの判定に用いる先読み演出実施判定用乱数値の抽出処理を行い（Ｓ５２０）、図９に示すフローチャートに進む。尚、本実施例ではＳ５１０で記憶されたカテゴリ情報は、対応する保留記憶の抽選結果に応じた変動指示信号を受信した時点で消去するが、変動指示信号を受信した時点ではなく、対応する保留記憶の抽選結果に応じた変動表示が終了した時点で消去する構成も考えられる。
【００６７】
図９に進み、Ｓ５１０で当該カテゴリ情報の記憶以前に記憶したカテゴリ信号の中に大当りを示すものが無いか否か、即ちカテゴリ４が記憶されているか否か判定する（Ｓ６００）。否定判定なら、言い換えれば保留記憶の中に既に大当りがあれば（Ｓ６００：ＮＯ）、新たに先読み演出を実行する処理は行わずリターンに抜ける。肯定判定なら（Ｓ６００：ＹＥＳ）、第２連続演出フラグが０か否か判定する（Ｓ６１０）。
【００６８】
第２連続演出フラグは、サブ統合制御装置５３が記憶する値であり、図１６（２）に示すように値が「０」の時は第２連続演出を未実施又は実施不可能な状態であることを、値が「２」の時は受信した先読みカテゴリ２を基にして第２連続演出を実施中若しくは待機中の状態であることを、値が「３」の時は受信した先読みカテゴリ３を基にして第２連続演出を実施中若しくは待機中の状態であることを、値が「４」の時は受信した先読みカテゴリ４を基にして第２連続演出を実施中若しくは待機中の状態であることを、サブ統合制御装置５３が判断するための値である。尚、受信した先読みカテゴリが１の場合（大当り期待度が最も低い場合）には、第２連続演出は実行しないため、第２連続演出フラグに「１」が設定されることはない。
【００６９】
第１連続演出フラグもサブ統合制御装置５３が記憶する値であり、図１６（１）に示すように値が「０」の時は第１連続演出を未実施又は実施不可能な状態であることを、値が「１」の時は受信した先読みカテゴリ１を基にして第１連続演出を実施中若しくは待機中の状態であることを、値が「２」の時は受信した先読みカテゴリ２を基にして第１連続演出を実施中若しくは待機中の状態であることを、値が「３」の時は受信した先読みカテゴリ３を基にして第１連続演出を実施中若しくは待機中の状態であることを、値が「４」の時は受信した先読みカテゴリ４を基にして第１連続演出を実施中若しくは待機中の状態であることを、サブ統合制御装置５３が判断するための値である。
【００７０】
Ｓ６１０が否定判定なら、即ちいずれかのカテゴリ情報を基にした第２連続演出が実行中又は待機中ならば（Ｓ６１０：ＮＯ）リターンに抜け、肯定判定で第２連続演出が未設定なら（Ｓ６１０：ＹＥＳ）、第１連続演出フラグが０か否か判定する（Ｓ６２０）。肯定判定なら（Ｓ６２０：ＹＥＳ）、保留数カウンタの値が２よりも大きいか否か判定する（Ｓ６３０）。この判定は、第１連続演出として３回以上の変動表示が実施可能かの条件を判定する処理であり、２回以上の条件で判定することも考えられる。
【００７１】
Ｓ６３０が否定判定なら（Ｓ６３０：ＮＯ）第１連続演出の実施条件を満たさないためリターンに抜けるが、リターンせず連続演出以外の先読み演出を実施する構成としてもよい。例えば、演出図柄表示装置５４ｂ上に表示される保留数を示す態様を、通常とは異なる態様に変化させる保留表示予告を、Ｓ５２０で抽出した先読み演出実施判定用乱数値が保留表示予告の実施値か否かの判定を行い。該判定に応じて実施する構成としてもよい。
【００７２】
Ｓ６３０が肯定判定なら（Ｓ６３０：ＹＥＳ）、受信したカテゴリ情報がカテゴリ「１」か否か判定する（Ｓ６４０）。肯定判定なら（Ｓ６４０：ＹＥＳ）、Ｓ５２０で抽出した先読み演出実施判定用乱数値が、カテゴリ情報１受信時に第１連続演出を実施する値か否かを判定する（Ｓ６５０）。具体的な先読み演出実施判定用乱数値を用いた判定内容を図１８に示す。図表に示すように、先読み演出実施判定用乱数値の総数は０から２９の３０個であり、その内、カテゴリ情報１の場合に第１連続演出を実施する値は２８の１個となる。従って先読み判定の結果が非リーチ（通常変動・ハズレ）に基づくカテゴリ情報１を受信した場合は、Ｓ６００からＳ６４０の条件を満たした場合において１／３０で第１連続演出を実行する設定となる。この設定確率は、カテゴリ情報１が最も大当りが期待できない非リーチを示すカテゴリであるため、１から４のカテゴリ情報の中で最も低い値となる。尚、変動結果が非リーチを示すカテゴリ情報１の受信時には、連続演出の設定を行わない構成も考えられる。
【００７３】
Ｓ６５０が否定判定なら（Ｓ６５０：ＮＯ）リターンに抜け、肯定判定なら（Ｓ６５０：ＹＥＳ）、第１連続演出フラグに「１」を設定する（Ｓ６６０）。この場合にフラグに設定する「１」は、前述したように、カテゴリ情報１を基にして（第１）連続演出を実行する場合に設定される値であり、フラグ値にはカテゴリ情報が示す順位に応じた値が設定される。この構成により、フラグ値を参照することによって連続演出を実行する起因となったカテゴリ情報の種類、即ち実施中の連続演出によって遊技者に与えることが可能な大当り期待度が判別できる。従って、第１連続演出の実行を示すフラグ値と、受信したカテゴリ情報とを比較すること（カテゴリ比較手段）により、実施中の連続演出（の最終演出）よりも大当り期待度が高い演出が可能か否かを判定可能としている。
【００７４】
Ｓ６６０に続いては、第１連続演出の連続回数設定値に保留数カウンタの値を設定し（Ｓ６７０）リターンする。Ｓ６７０が実施されると、後述する変動指示信号受信処理の実施に応じて、第１連続演出がＳ６７０で設定された回数の変動表示に亘って実施される。
【００７５】
次に、Ｓ６４０が否定判定だった場合に実施される、受信したカテゴリ情報が「１」以外の場合の第１連続演出の実行判定について説明する。図９のＳ６４０が否定判定なら（Ｓ６４０：ＮＯ）、図１０のフローチャートに進み、受信したカテゴリ情報が「２」か否か、即ち先読み判定の結果がリーチ（ハズレ）か否か判定する（Ｓ７００）。肯定判定なら（Ｓ７００：ＹＥＳ）、Ｓ５２０で抽出した先読み演出実施判定用乱数値が、カテゴリ情報２受信時に第１連続演出を実施する値か否かを判定する（Ｓ７１０）。図１８の図表に示すように、カテゴリ情報２の場合に第１連続演出を実施する値は１６、２６の２個となる。従って先読み判定の結果がリーチ（ハズレ）に基づくカテゴリ情報２を受信した場合は、Ｓ６００からＳ６４０の条件を満たした場合において２／３０で第１連続演出を実行する設定となる。この設定確率は、カテゴリ情報１よりも高いが後述するカテゴリ情報３の場合に比べて低い値となる。
【００７６】
Ｓ７１０が否定判定なら（Ｓ７１０：ＮＯ）リターンに抜け、肯定判定なら（Ｓ７１０：ＹＥＳ）、第１連続演出フラグに「２」を設定する（Ｓ７２０）。この場合にフラグに設定する「２」は、前述したように、カテゴリ情報２を基にして（第１）連続演出を実行する場合に設定される値である。Ｓ７２０に続いては、図９のＳ６７０の処理に進む。
【００７７】
Ｓ７００が否定判定なら（Ｓ７００：ＮＯ）、図１１のフローチャートに進み、受信したカテゴリ情報が「３」か否か、即ち先読み判定の結果がスーパーリーチ（ハズレ）か否か判定する（Ｓ８００）。肯定判定なら（Ｓ８００：ＹＥＳ）、Ｓ５２０で抽出した先読み演出実施判定用乱数値が、カテゴリ情報３受信時に第１連続演出を実施する値か否かを判定する（Ｓ８１０）。図１８の図表に示すように、カテゴリ情報３の場合に第１連続演出を実施する値は４、１４、２４の３個となる。従って先読み判定の結果がスーパーリーチ（ハズレ）に基づくカテゴリ情報３を受信した場合は、Ｓ６００からＳ６４０の条件を満たした場合において３／３０で第１連続演出を実行する設定となる。この設定確率は、カテゴリ情報２よりも高いが後述するカテゴリ情報４の場合に比べて低い値となる。
【００７８】
Ｓ８１０が否定判定なら（Ｓ８１０：ＮＯ）リターンに抜け、肯定判定なら（Ｓ８１０：ＹＥＳ）、第１連続演出フラグに「３」を設定する（Ｓ８２０）。この場合にフラグに設定する「３」は、前述したように、カテゴリ情報３を基にして（第１）連続演出を実行する場合に設定される値である。Ｓ８２０に続いては、図９のＳ６７０の処理に進む。
【００７９】
Ｓ８００が否定判定なら、即ち受信したカテゴリ情報が「４」なら（Ｓ８００：ＮＯ）、図１２のフローチャートに進み、Ｓ５２０で抽出した先読み演出実施判定用乱数値が、カテゴリ情報４受信時に第１連続演出を実施する値か否かを判定する（Ｓ９００）。図１８の図表に示すように、カテゴリ情報４の場合に第１連続演出を実施する値は１から２９までの奇数１５個となる。従って先読み判定の結果が大当りに基づくカテゴリ情報４を受信した場合は、Ｓ６００からＳ６４０の条件を満たした場合において１５／３０で第１連続演出を実行する設定となる。この設定確率は、カテゴリ情報４が大当り確定を示すカテゴリであるため、１から４のカテゴリ情報の中で最も高い値となる。
【００８０】
Ｓ９００が否定判定なら（Ｓ９００：ＮＯ）リターンに抜け、肯定判定なら（Ｓ９００：ＹＥＳ）、第１連続演出フラグに「４」を設定する（Ｓ９１０）。この場合にフラグに設定する「４」は、前述したように、カテゴリ情報４を基にして（第１）連続演出を実行する場合に設定される値である。Ｓ９１０に続いては、図９のＳ６７０の処理に進む。
【００８１】
次に、図９のＳ６２０が否定判定だった場合、即ち第１連続演出が実行中の場合における先読み演出の設定処理を説明する。図９のＳ６２０が否定判定なら（Ｓ６２０：ＮＯ）、図１３のフローチャートに進み、第１連続演出フラグの値が「３」か否か判定する（Ｓ１０１０）。本実施例では、Ｓ６００の判定でカテゴリ情報４（大当り）が記憶されていた場合はリターンとなる。従って、実行中の第１連続演出がカテゴリ情報４を基にしていた場合も、大当りより期待度の高い予告演出の実施は不可能なため連続した先読み予告演出の設定は行われない。但し、既にカテゴリ４（大当り）が記憶された状況においても、受信したカテゴリ情報が「４」であれば先読み予告演出を設定する構成も考えられる。
【００８２】
Ｓ１０１０が肯定判定なら、即ち実行中の第１連続演出がスーパーリーチ（ハズレ）となる先読み判定を基にしたものなら（Ｓ１０１０：ＹＥＳ）、受信したカテゴリ情報が「４」（先読み判定が大当り）か否か判定する（Ｓ１０２０）。否定判定なら（Ｓ１０２０：ＮＯ）リターンに抜け、肯定判定なら（Ｓ１０２０：ＹＥＳ）、第２連続演出の連続可能回数が１よりも大きいか否か判定する（Ｓ１０３０）。この判定は、保留数カウンタの値と実行中の第１連続演出の残りの回数との差が１より大きいか否かを判定するものであり、第１連続演出が終了した次の変動表示から第２連続演出を連続して実行した場合、２回以上の連続が実施可能か否かの判定となる。尚、実行中の第１連続演出の残りの回数は、Ｓ６７０で設定した連続演出の連続回数（フラグ設定時の保留数カウンタの値）から、実際に実行された第１連続演出の回数となる第１連続演出カウンタの値を減算した値となる。
【００８３】
Ｓ１０３０が否定判定なら（Ｓ１０３０：ＮＯ）リターンし、肯定判定なら（Ｓ１０３０：ＹＥＳ）、Ｓ５２０で抽出した先読み演出実施判定用乱数値が、カテゴリ情報４受信時に第２連続演出を実施する値か否かを判定する（Ｓ１０４０）。図１８の図表に示すように、カテゴリ情報４の場合に第２連続演出を実施する値は１から２９までの奇数に０、１０、２０を加えた１８個となる。従って、第１連続演出の実施中に先読み判定の結果が大当りに基づくカテゴリ情報４を受信した場合は、１８／３０で第２連続演出を実行する設定となる。
【００８４】
Ｓ１０４０が否定判定なら（Ｓ１０４０：ＮＯ）リターンに抜け、肯定判定なら（Ｓ１０４０：ＹＥＳ）、第２連続演出フラグに「４」を設定する（Ｓ１０５０）。この場合にフラグに設定する「４」は、前述したように、カテゴリ情報４を基にして（第２）連続演出を実行する場合に設定される値である。
【００８５】
Ｓ１０５０に続いては、第２連続演出の連続回数設定値に、保留数カウンタ−（第１連続演出連続回数設定値−第１連続演出カウンタ）の演算処理結果、即ち保留数カウンタの値と実行中の第１連続演出の残りの回数との差を設定し（Ｓ１０６０）リターンする。Ｓ１０６０が実施されると、第２連続演出の待機状態となり、第１連続演出が終了すると（Ｓ６７０で設定した回数の第１連続演出を実施すると）、次の変動表示から第２連続演出をＳ１０６０で設定した回数の変動表示に亘って実施する。
【００８６】
Ｓ１０１０からＳ１０６０の処理が示すように、実行中の第１連続演出がスーパーリーチ（ハズレ）となる先読み判定を基にした場合（第１連続演出フラグ＝３）、大当りとなる先読み判定を基にしたカテゴリ情報４を受信した場合のみ第２連続演出を実施する構成となっている。これは、大当りの期待度が増加する場合のみ連続した先読み演出を実行することを示している。
【００８７】
Ｓ１０１０が否定判定なら（Ｓ１０１０：ＮＯ）、図１４に示すフローチャートに進み、第１連続演出フラグの値が「２」か否か判定する（Ｓ１１００）。肯定判定なら、即ち実行中の第１連続演出がリーチ（ハズレ）となる先読み判定を基にしたものなら（Ｓ１１００：ＹＥＳ）、受信したカテゴリ情報が「４」（先読み判定が大当り）か否か判定する（Ｓ１１１０）。肯定判定なら（Ｓ１１１０：ＹＥＳ）、Ｓ１０３０に進む。
【００８８】
Ｓ１１１０が否定判定なら（Ｓ１１１０：ＮＯ）受信したカテゴリ情報が「３」（先読み判定がスーパーリーチ（ハズレ））か否か判定する（Ｓ１１２０）。肯定判定なら（Ｓ１１２０：ＹＥＳ）、第２連続演出の連続可能回数が１よりも大きいか否か判定し（Ｓ１１３０）否定判定なら（Ｓ１１３０：ＮＯ）リターンし、肯定判定なら（Ｓ１１３０：ＹＥＳ）、Ｓ５２０で抽出した先読み演出実施判定用乱数値が、カテゴリ情報３受信時に第２連続演出を実施する値か否かを判定する（Ｓ１１４０）。図１８の図表に示すように、カテゴリ情報３の場合に第２連続演出を実施する値は４、８、１４、１８、２４、２８の６個となる。従って、第１連続演出の実施中に先読み判定の結果がスーパーリーチ（ハズレ）に基づくカテゴリ情報３を受信した場合は、６／３０で第２連続演出を実行する設定となる。
【００８９】
Ｓ１１４０が否定判定なら（Ｓ１１４０：ＮＯ）リターンに抜け、肯定判定なら（Ｓ１１４０：ＹＥＳ）、第２連続演出フラグに「３」を設定する（Ｓ１１５０）。この場合にフラグに設定する「３」は、前述したように、カテゴリ情報３を基にして（第２）連続演出を実行する場合に設定される値である。Ｓ１１５０の処理後、Ｓ１０６０に進む。
【００９０】
Ｓ１１００が否定判定なら、即ち第１連続演出フラグの値が１であれば（Ｓ１１００：ＮＯ）、図１５に示すフローチャートに進み、受信したカテゴリ情報が「４」（先読み判定が大当り）か否か判定する（Ｓ１２００）。肯定判定なら（Ｓ１２００：ＹＥＳ）、Ｓ１１３０に進み、否定判定なら（Ｓ１２００：ＮＯ）受信したカテゴリ情報が「３」（先読み判定がスーパーリーチ（ハズレ））か否か判定する（Ｓ１２１０）。肯定判定なら（Ｓ１２１０：ＹＥＳ）、Ｓ１１３０に進み、否定判定なら（Ｓ１２１０：ＮＯ）受信したカテゴリ情報が「２」（先読み判定がリーチ（ハズレ））か否か判定する（Ｓ１２２０）。
【００９１】
Ｓ１２２０が肯定判定なら（Ｓ１２２０：ＹＥＳ）第２連続演出の連続可能回数が１よりも大きいか否か判定し（Ｓ１２３０）否定判定なら（Ｓ１２３０：ＮＯ）リターンし、肯定判定なら（Ｓ１２３０：ＹＥＳ）、Ｓ５２０で抽出した先読み演出実施判定用乱数値が、カテゴリ情報２受信時に第２連続演出を実施する値か否かを判定する（Ｓ１２４０）。図１８の図表に示すように、カテゴリ情報２の場合に第２連続演出を実施する値は６、１６、２６の３個となる。従って、第１連続演出の実施中に先読み判定の結果がリーチ（ハズレ）に基づくカテゴリ情報２を受信した場合は、３／３０で第２連続演出を実行する設定となる。
【００９２】
Ｓ１２４０が否定判定なら（Ｓ１２４０：ＮＯ）リターンに抜け、肯定判定なら（Ｓ１２４０：ＹＥＳ）、第２連続演出フラグに「２」を設定する（Ｓ１１５０）。この場合にフラグに設定する「２」は、前述したように、カテゴリ情報２を基にして（第２）連続演出を実行する場合に設定される値である。Ｓ１２５０の処理後、Ｓ１０６０に進む。
【００９３】
以上が先読み信号受信処理となる。この処理は、カテゴリ情報受信時に第１連続演出及び第２連続演出が実行中でなければ受信したカテゴリ情報の種類に応じて第１連続演出の実行を判定し、第１連続演出の実行中にカテゴリ情報を受信した場合は、実施中の第１連続演出の基となるカテゴリ情報の種類（第１連続演出フラグの値）と、受信したカテゴリ情報の種類を比較して、受信したカテゴリ情報の方が大当り期待度の高い演出が可能であれば（第１連続演出フラグの値よりも受信したカテゴリ情報の種類を示す値のほうが大きければ）、第２連続演出の実行を判定する構成となっている。
【００９４】
次に、サブ統合制御装置５３が実行する変動指示信号受信処理を図１９に示すフローチャートを用いて説明する。この処理は、主制御装置５０から受信した変動指示信号に応じて演出図柄表示装置５４ｂに表示する演出図柄の表示態様を選択し、その選択した内容を演出図柄表示装置５４ｂを制御する演出図柄制御装置５４ａに指示する処理である。変動指示信号受信処理を開始すると、主制御装置５０から変動指示信号を受信したか否か判定する（Ｓ１３００）。否定判定なら（Ｓ１３００：ＮＯ）リターンし、肯定判定なら（Ｓ１３００：ＹＥＳ）、振分乱数の抽出と（Ｓ１３１０）、保留数カウンタのデクリメント（Ｓ１３２０）を行い、保留数指示信号を演出図柄制御装置５４ａに送信する（Ｓ１３３０）。
【００９５】
続いて、第１連続演出フラグが０よりも大きいか、即ち第１連続演出を実行中か若しくは待機中か否か判定し（Ｓ１３４０）、肯定判定なら（Ｓ１３４０：ＹＥＳ）、第１連続演出判別フラグが０か否か判定する（Ｓ１３５０）。第１連続演出判別Ｆは、複数備える第１連続演出の演出態様の中から実行する第１連続演出の種類を判別するためのフラグであり、フラグ値に応じた第１（第２）連続演出の演出内容は図２１（１）に示す内容となり、詳細は図２２を用いて後述する。Ｓ１３５０が肯定判定なら、即ち、第１連続演出フラグの設定後、実際の第１連続演出となる変動表示が未だ未実行の待機状態であったなら（Ｓ１３５０：ＹＥＳ）、図２１（２）の図表に示す内容で第１連続演出フラグの値とＳ１３２０で抽出した振分乱数の値を基に（第１）連続演出の種類を選択し（Ｓ１３６０）、選択した種類に対応した第１連続演出判別フラグの値を設定する（Ｓ１３７０）。
【００９６】
Ｓ１３５０が否定判定（Ｓ１３５０：ＮＯ）、又はＳ１３７０の処理に続いては、第１連続演出カウンタのインクリメントを行い（Ｓ１３８０）、受信した変動指示信号とＳ１３１０で抽出した振分乱数の値と第１連続演出判別フラグの値とに応じてサブ統合制御装置５３が記憶する複数種類の変動態様及び第１連続演出の態様の中から演出図柄表示装置５４ｂに表示する演出表示態様の種類を選択し（Ｓ１３９０）、上記処理によって選択された演出表示態様を演出図柄表示装置５４ｂに表示する指示信号を演出図柄制御装置５４ａに送信し（Ｓ１４００）、リターンに抜ける。
【００９７】
Ｓ１３４０が否定判定、即ち第１連続演出が実行中（又は待機中）でなければ（Ｓ１３４０：ＮＯ）、第２連続演出フラグが０よりも大きいか否か判定し（Ｓ１４１０）、否定判定なら（Ｓ１４１０：ＮＯ）、受信した変動指示信号とＳ１３１０で抽出した振分乱数の値に応じてサブ統合制御装置５３が記憶する複数種類の変動態様の中から演出図柄表示装置５４ｂに表示する演出表示態様の種類を選択し（Ｓ１４１５）Ｓ１４００に進む。
【００９８】
Ｓ１４１０が肯定判定なら（Ｓ１４１０：ＹＥＳ）、第２連続演出判別フラグが０か否か判定する（Ｓ１４２０）。第２連続演出判別Ｆも、複数備える第２連続演出の演出態様の中から実行する第２連続演出の種類を判別するためのフラグであり、フラグ値に応じた第２連続演出の演出内容は図２１（１）に示す内容となり、詳細は図２３を用いて後述する。Ｓ１４２０が肯定判定なら、即ち、第２連続演出フラグの設定後、実際の第２連続演出となる変動表示が未だ未実行の待機状態であったなら（Ｓ１４２０：ＹＥＳ）、図２１（２）の図表に示す内容で第２連続演出フラグの値とＳ１３２０で抽出した振分乱数の値を基に第２連続演出の種類を選択し（Ｓ１４３０）、選択した種類に対応した第２連続演出判別フラグの値を設定する（Ｓ１４４０）。
【００９９】
Ｓ１４２０が否定判定（Ｓ１４２０：ＮＯ）、又はＳ１４４０の処理に続いては、第２連続演出カウンタのインクリメントを行い（Ｓ１４５０）、受信した変動指示信号とＳ１３１０で抽出した振分乱数の値と第２連続演出判別フラグの値と第２連続演出カウンタの値（連続演出のステップ数を判断）とに応じてサブ統合制御装置５３が記憶する複数種類の変動態様及び第２連続演出の態様の中から演出図柄表示装置５４ｂに表示する演出表示態様の種類を選択し（Ｓ１４６０）、Ｓ１４００に進む。
【０１００】
以上が変動指示信号受信処理となる。変動指示信号受信に応じて変動態様を選択する時に、第１連続演出フラグと第２連続演出フラグの両方が成立している場合があるが、第１連続演出フラグの判定を先に実施することにより第１連続演出を優先して実施する構成となる。
【０１０１】
次に、サブ統合制御装置５３が実施する図柄確定コマンド受信処理を図２０に示すフローチャートを用いて説明する。この処理は、演出図柄の確定表示を指示すると共に、確定表示を契機として、連続演出に係る各種フラグ（第１、第２連続演出フラグ、第１、第２連続演出判別フラグ）及び、第１、第２連続演出カウンタのクリアを実施する処理となる。
【０１０２】
図柄確定コマンド受信処理を開始すると、主制御装置５０から図柄確定コマンドを受信したか否か判定する（Ｓ１５００）。否定判定なら（Ｓ１５００：ＮＯ）リターンし、肯定判定なら（Ｓ１５００：ＹＥＳ）、演出図柄の確定表示を指示する信号を演出図柄制御装置５４ａに送信し（Ｓ１５１０）、第１連続演出フラグが０よりも大きいか否か判定する（Ｓ１５２０）。肯定判定なら（Ｓ１５２０：ＹＥＳ）、第１連続演出カウンタがＳ６７０で設定した値（第１連続演出の連続回数設定値）と同一か否か判定し（Ｓ１５３０）、否定判定なら（Ｓ１５３０：ＮＯ）リターンし、肯定判定なら、即ち第１連続演出が設定された連続回数を消化していたら（Ｓ１５３０：ＹＥＳ）、第１連続演出フラグと第１連続演出判別フラグと第１連続演出カウンタとをクリアし（Ｓ１５４０、Ｓ１５５０、Ｓ１５６０）リターンする。
【０１０３】
Ｓ１５２０が否定判定なら（Ｓ１５２０：ＮＯ）、第２連続演出フラグが０よりも大きいか否か判定する（Ｓ１５７０）。否定判定なら（Ｓ１５７０：ＮＯ）リターンし、肯定判定なら（Ｓ１５７０：ＹＥＳ）、第２連続演出カウンタがＳ１０６０で設定した値（第２連続演出の連続回数設定値）と同一か否か判定し（Ｓ１５８０）、否定判定なら（Ｓ１５８０：ＮＯ）リターンし、肯定判定なら、即ち第２連続演出が設定された連続回数を消化していたら（Ｓ１５８０：ＹＥＳ）、第２連続演出フラグと第２連続演出判別フラグと第２連続演出カウンタとをクリアし（Ｓ１５９０、Ｓ１６００、Ｓ１６１０）リターンする。
【０１０４】
以上が図柄確定コマンド受信処理となる。第１連続演出フラグのクリア処理を変動表示終了後となる図柄確定時（確定図柄表示時）に行うことにより、第１連続演出の最後の変動表示が終了するまで第１連続演出フラグが保持される。従って、第１連続演出の最後の変動表示が終了する第２連続演出の実行設定が可能な構成となっている。これにより、第１連続演出の実行後に連続して第２連続演出が実行される機会を増加させ、独自の遊技性をアピールする効果がある。
【０１０５】
次に、本実施例で図柄表示装置５４ｂに表示される第１連続演出の表示内容を図２２に示す図を用いて説明する。図２２（１）は、第１連続演出判別フラグが１の場合に表示される第１連続演出１の表示演出態様を示す図である。この場合の第１連続演出では、左、右、中の３個の演出図柄が画面下部で変動表示を開始する毎に、キャラクタＡ１が画面上部に約５．０秒間出現する演出態様を繰返し実施する。尚、キャラクタＡ１は、第１連続演出となる変動表示が実施される毎に変化してもよく、その態様変化によって遊技者に与える期待感が変化しない範囲（例えば大きさや数の変化や、暖色系への色変化は行わない）であれば変化してもよい。
【０１０６】
図２２（２）は、第１連続演出判別フラグが２の場合に表示される第１連続演出２の表示演出態様を示す図である。この場合の第１連続演出は、左、右、中の３個の演出図柄が画面下部で変動表示を開始する毎に、キャラクタＢ１が画面上部に約５．０秒間出現する演出態様を繰返し実施する。尚、キャラクタＢ１は、第１連続演出となる変動表示が実施される毎に変化してもよく、その態様変化によって遊技者に与える期待感が変化しない範囲（例えば大きさや数の変化や、暖色系への色変化は行わない）であれば変化してもよい。
【０１０７】
図２２（３）は、第１連続演出判別フラグが３の場合に表示される第１連続演出３の表示演出態様を示す図である。この場合の第１連続演出は、左、右、中の３個の演出図柄が画面下部で変動表示を開始する毎に、キャラクタＣ１が画面上部に約５．０秒間出現する演出態様を繰返し実施する。尚、キャラクタＣ１は、第１連続演出となる変動表示が実施される毎に変化してもよく、その態様変化によって遊技者に与える期待感が変化しない範囲（例えば大きさや数の変化や、暖色系への色変化は行わない）であれば変化してもよい。
【０１０８】
キャラクタＡ１、Ｂ１、Ｃ１の出現割合は、図２１（２）に示すように大当り期待度が高いほど（第１連続演出フラグの値が大きいほど）、第１連続演出３が多く出現する（第１連続演出判別フラグ３を設定する）ように構成されている。従って遊技者は、同じ第１連続演出でも第１連続演出１よりも第１連続演出２、第１連続演出２よりも第１連続演出３の順に大きな期待度を抱く構成である。
【０１０９】
また、本実施例では、遊技領域２６に備えられた液晶枠飾り２８の窓部２８ａの上部に、サブ統合制御装置５３によって可動制御が可能な可動体８０が備えられており、該可動体８０を第１連続演出実施時に作動させる構成も考えられる。この場合、第１連続演出判別フラグに１、２、３のどの値が設定されていても、可動体８０は常時停止位置となるＬＣＤ画面の上辺から、ＬＣＤ画面の１／３の位置まで下に向かって移動し、その後常時停止位置に戻る動作を１回行う。この動作は左、右、中の３個の演出図柄が変動を開始する時期（第１連続演出を示すキャラクタを表示開始する時期）に開始するのが好適である。
【０１１０】
尚、第１連続演出判別フラグの値に応じて可動体８０の作動内容を変化させる構成も考えられる。その場合、演出図柄表示装置５４ｂで実施される表示態様と同じく、第１連続演出判別フラグの値が大きいほど遊技者に大きな期待度を与える構成にするため、第１連続演出判別フラグの値が大きくなるほど可動体８０の作動回数を多くしたり、作動範囲を拡大したりする構成が好適である。
【０１１１】
次に、本実施例で図柄表示装置５４ｂに表示される第２連続演出の表示内容を図２３を用いて説明する。図２３は、第２連続演出判別フラグに１が設定された場合に実施する、第２連続演出１の表示演出態様を示す図であり、変動表示が連続するごとに表示態様が変化する内容をステップ１からステップ４で示している。ステップ１（１回目の第２連続演出）では、左、右、中の演出図柄が変動表示を開始すると、画面上部にＡ１を約５．０秒間表示すると共に、Ａ１の表示期間と作動期間を同じくして可動体８０が通常停止位置から画面中央まで下上の動作を１回行う。
【０１１２】
ステップ２（２回目の第２連続演出）では、左、右、中の演出図柄が変動表示を開始すると、画面上部にキャラクタＡ１を拡大したＡ２を約５．０秒間表示すると共に、Ａ２の表示期間と作動期間を同じくして可動体８０が通常停止位置から画面中央まで下上の動作を１回行う。
【０１１３】
ステップ３（３回目の第２連続演出）では、左、右、中の演出図柄が変動表示を開始すると、画面上部にキャラクタＡ２更に拡大したＡ３を約５．０秒間表示すると共に、Ａ３の表示期間と作動期間を同じくして可動体８０が通常停止位置から画面中央まで下上の動作を１回行う。
【０１１４】
ステップ４（４回目の第２連続演出）では、左、右、中の演出図柄が変動表示を開始すると、画面上部にキャラクタＡ３から画面いっぱいまで拡大したＡ４を約５．０秒間表示すると共に、Ａ４の表示期間と作動期間を同じくして可動体８０が通常停止位置から画面中央まで下上の動作を１回行う。
【０１１５】
このように、第２連続演出の連続回数の増加に伴い、表示するキャラクタの大きさを拡大することで、大当りの期待感を徐々に増幅させる演出となっている。尚、第２連続演出判別フラグの値が２の場合は、連続回数が増加するごとにＢ１、Ｂ２、Ｂ３、Ｂ４をＢ１から徐々に大きさを拡大しながら表示し、第２連続演出判別フラグの値が３の場合は、連続回数が増加するごとにＣ１、Ｃ２、Ｃ３、Ｃ４をＣ１から徐々に大きさを拡大しながら表示する構成となっている。
【０１１６】
第２連続演出でも、キャラクタＡ１、Ｂ１、Ｃ１の出現割合は、図２１（２）に示すように大当り期待度が高いほど（第２連続演出フラグの値が大きいほど）、第２連続演出３が多く出現する（第２連続演出判別フラグ３を設定する）ように構成されている。従って遊技者は、同じ第２連続演出でも第２連続演出１よりも第２連続演出２、第２連続演出２よりも第２連続演出３の順に期待度を大きくすることになる。
【０１１７】
また、本実施例における第２連続演出実行時の可動体８０は、ステップ１からステップ４まで同一の動作を行うが、連続回数が増加するごとに（ステップアップするごとに）、作動範囲を拡大したり作動回数を増加させる構成が考えられる。更に、第２連続演出判別フラグの値に応じて可動体８０の作動内容を変化させる構成も考えられ、連続回数の増加と第２演出判別フラグの値に応じて可動体８０の作動範囲と作動回数を組み合わせる構成も考えられる。
【０１１８】
これは例えば、第２連続演出フラグの値に応じて可動体８０の作動回数を変化させ、第２連続演出判別フラグの値に応じて可動体８０の作動範囲を変化させる制御を行うことによって可能となる。当然のことながらフラグ値が大きいほど作動回数が多くなり作動範囲が広くなる。
【０１１９】
第１連続演出でＡ１が表示されていた場合（第１連続演出判別フラグに１が設定されていた場合）は、第２連続演出の実行時にはＡ１を表示（第２連続演出判別フラグに１を設定）し、同様に第１連続演出でＢ１が表示されていた場合（第１連続演出判別フラグ値２）は、第２連続演出の実行時にはＢ１を表示（第２連続演出判別フラグ値２）し、第１連続演出でＣ１が表示されていた場合（第１連続演出判別フラグ値３）は、第２連続演出の実行時にはＣ１を表示（第２連続演出判別フラグ値３）する構成としてもよく、このように、第１連続演出判別フラグのフラグ値を第２連続演出判別フラグの値に引き継ぐ構成も考えられる。
【０１２０】
第１連続演出判別フラグの値を第２連続演出判別フラグの値として引き継ぐことにより、キャラクタの種類が例えばＣ１からＢ１に変化することにより期待感が減少することを防止する効果があり、第１連続演出から第２連続演出に継続（発展）するといった期待度の増加を演出する上で、出現するキャラクタ自身による期待度の減少を防ぐ構成として望ましい。
【０１２１】
以上が実施例の説明となる。本実施例では、第１連続演出の実行と受信したカテゴリ情報が上位であることを条件に、第２連続演出を実行したが、該第２連続演出の実行と受信したカテゴリ情報の上位を条件に第３連続演出を、更に同様の条件で第４連続演出を実行する構成も考えられる。
【０１２２】
この構成とする場合、本実施例では図９のＳ６１０の判定で第２連続演出が実行中であればリターンに抜けたが、第３連続演出を実行する場合にはリターンせず、第２連続演出フラグの値と受信したカテゴリ情報を比較し、受信したカテゴリ情報が上位なら、連続演出が可能な保留数があるか、Ｓ５２０で抽出した先読み演出実施判定用乱数値が第３連続演出の実施値か、を判定し第３連続演出フラグの値に受信したカテゴリ情報に応じた値を設定する構成が好適である。
【０１２３】
また、第１連続演出の実行は、第１（第２）連続演出とは異なる先読み演出の実行中と、受信したカテゴリ情報が該先読み演出の起因となったカテゴリ情報よりも上位であることを条件としてもよい。
【０１２４】
本実施例における第２連続演出は、毎回ステップ１から連続演出としての演出を開始したが、このように毎回ステップ１から開始するのではなく、ステップ４が毎回第２連続演出の最終演出となるように、開始するステップをＳ１０６０で設定した第２連続演出の連続回数を示す値に応じて調整する構成も考えられる。
【０１２５】
この構成とする場合、例えば、Ｓ１０６０で設定された連続回数が３であれば、第２連続演出の１回目の変動時（第２連続演出カウンタの値が１の場合）でも、Ｓ１４６０で選択される第２連続演出の態様はステップ２となる。
【産業上の利用可能性】
【０１２６】
以上のように、本発明の弾球遊技機によれば、先読み判定によるカテゴリ情報を比較することによって、異なる種類の予告演出が連続して実施された場合でも、予告演出の種類に応じた期待感を演出することが可能となり、保留記憶手段に記憶される乱数値の先読み判定を実施する弾球遊技機に適用することができる。
【符号の説明】
【０１２７】
８      遊技盤
２９    特別図柄表示装置
３１    普通電動役物（始動口）
５０    主制御装置
５３    サブ統合制御装置
５４ａ  演出図柄制御装置
５４ｂ  演出図柄表示装置
８０    可動体
８０ａ  可動体駆動モータ
【図１】
0005382956.tif 000002
【図２】
0005382956.tif 000003
【図３】
0005382956.tif 000004
【図４】
0005382956.tif 000005
【図５】
0005382956.tif 000006
【図６】
0005382956.tif 000007
【図７】
0005382956.tif 000008
【図８】
0005382956.tif 000009
【図９】
0005382956.tif 000010
【図１０】
0005382956.tif 000011
【図１１】
0005382956.tif 000012
【図１２】
0005382956.tif 000013
【図１３】
0005382956.tif 000014
【図１４】
0005382956.tif 000015
【図１５】
0005382956.tif 000016
【図１６】
0005382956.tif 000017
【図１７】
0005382956.tif 000018
【図１８】
0005382956.tif 000019
【図１９】
0005382956.tif 000020
【図２０】
0005382956.tif 000021
【図２１】
0005382956.tif 000022
【図２２】
0005382956.tif 000023
【図２３】
0005382956.tif 000024